(57)【要約】【課題】簡単な構造で、低コストを図り、扉の施錠、解錠操作を容易にする。【解決手段】ラッチ錠Ｌは、ラッチ錠取付ベース１、ベースカバー１４、ラッチ操作つまみ２、スライド作動部材３、ラッチ４、ばね部材５、錠前ユニット６、ロック部材７、ロータカム８、及び施解錠操作つまみ９からなる。荷物受け入れ待ちのときはラッチ操作つまみを解錠にする。荷物を入れるときはラッチ操作つまみにより扉を開けて荷物を入れ、施解錠操作つまみによりラッチ操作つまみを施錠し扉を閉めることで扉をオートロックする。荷物を取り出すときは錠前ユニットを鍵で解錠してラッチ操作つまみを解錠する。【選択図】図２
2019124002.tif 000002
【特許請求の範囲】
【請求項１】
宅配ボックスの扉に取り付けられ、宅配ボックスのボックス本体に設けられるラッチ受け部にラッチを係脱し、前記ラッチを施解錠する宅配ボックス用ラッチ錠であって、
背面に開口を有する箱形に形成されて、正面の前記ラッチ受け部側の一方の側にラッチ操作つまみ取付孔を有し、正面の他方の側に錠前ユニット取付孔を有し、前記ラッチ受け部側の一側面の背面側にラッチ挿通部を有し、前記扉の前記ラッチ受け部に近接する位置に装着されるラッチ錠取付ベース、及び前記ラッチ錠取付ベース背面の前記開口を被覆可能なプレートからなり、前記ラッチ錠取付ベースの前記錠前ユニット取付孔に対応する位置に施解錠操作つまみ取付孔を有し、前記ラッチ錠取付ベースの背面に取り付けられるベースカバーと、
前記ラッチ錠取付ベース内で前記ラッチ操作つまみ取付孔の内側に回転可能に配置される回転作動部材、前記回転作動部材の正面に設けられて前記ラッチ操作つまみ取付孔から外側に突出されるつまみ部、及び前記回転作動部材の背面に前記ラッチ錠取付ベースの背面方向に突出される凸状作動部からなり、前記ラッチ操作つまみ取付孔に取り付けられるラッチ操作つまみと、
前記ラッチ錠取付ベース内で前記ラッチ操作つまみの背面側に前記ラッチ錠取付ベースの一側面側所定の位置から他側面方向に又はその反対にスライド可能に配置され、前記ラッチ操作つまみの背面に対向する正面及びその反対側の背面にそれぞれ前記ラッチ錠取付ベースの正面及び背面方向に突出される凸状の作動連結部を有し、前記ラッチ錠取付ベースの一側面側所定の位置で前記正面の作動連結部と前記ラッチ操作つまみの前記凸状作動部が係合されて、前記ラッチ操作つまみの前記つまみ部の回転初期位置から所定方向の回転により、前記ラッチ錠取付ベースの一側面側所定の位置から他側面方向にスライドされるスライド作動部材と、
前記ラッチ錠取付ベース内に前記スライド作動部材の背面側で先端部側を前記ラッチ挿通部から出没可能にスライド可能に配置され、前記スライド作動部材の背面方向に向けられる正面に前記スライド作動部材の背面方向に突出される凸状の受け部を有し、前記先端部側が前記ラッチ挿通部から突出された状態での前記受け部と前記ラッチ錠取付ベースの一側面側所定の位置での前記スライド作動部材の前記背面の作動連結部が係合されて、前記スライド作動部材の前記ラッチ錠取付ベースの一側面側所定の位置から他側面方向へのスライドにより、前記先端部側が前記ラッチ挿通部から前記ラッチ錠取付ベース内に没入されるラッチと、
前記ラッチ錠取付ベース内に前記ラッチを前記ラッチ挿通部方向に押圧可能に配置され、常態として、前記ラッチの先端部側を前記ラッチ挿通部から突出させるとともに、前記ラッチの前記受け部及び前記スライド作動部材の前記背面の作動連結部との係合と、前記スライド作動部材の前記正面の作動連結部及び前記ラッチ操作つまみの前記凸状作動部との係合とにより、前記スライド作動部材を前記ラッチ錠取付ベースの一側面側所定の位置に位置決めし、前記ラッチ操作つまみを回転初期位置に保持するばね部材と、
前記ラッチ錠取付ベース内に前記錠前ユニット取付孔に鍵孔を表出しロータを前記ベースカバーの前記施解錠操作つまみ取付孔に対向させて設置される錠前ユニットと、
前記ラッチ錠取付ベース内で前記錠前ユニットの周面を包囲可能に正面に開口を有し背面にロータ挿通孔を有する略筒状を呈し、外周面に前記スライド作動部材が挿入可能な溝を有し、前記ロータ挿通孔の内周縁に所定の角度を設定されて当該ロータ挿通孔の内周縁と平行に形成されてなる係止溝を有し、前記ラッチ錠取付ベース内で前記錠前ユニットの周面の周囲に、前記溝を前記スライド作動部材のスライド方向に一致させないで前記スライド作動部材のスライドを規制するロック位置と前記溝を前記スライド作動部材のスライド方向に一致させて前記スライド作動部材のスライドを規制解除するロック解除位置との間を回転可能に設置されるロック部材と、
前記ロック部材背面の前記ロータ挿通孔に回転可能に嵌合される回転部材、及び前記回転部材の外周部に突出され、前記ロータ挿通孔の係止溝内に配置されて当該係止溝内の一端又は他端に係合される係止突起からなり、前記錠前ユニットのロータに一体に回転可能に取り付けられて、前記錠前ユニットに鍵を差し込み前記ロータを所定の方向に回転することにより、前記ロータ挿通孔内で前記回転部材が前記ロータの回転方向へ回転されるとともに前記係止溝内で前記係止突起が前記係止溝内の一端に係合された状態で前記ロータの回転方向へ回転されて前記ロック部材をロック解除位置へ回転するロータカムと、
前記ラッチ錠取付ベース内で前記錠前ユニットの背面側に前記錠前ユニットと同心的に配置されて、前記ロック部材の背面に前記ロック部材と一体的に回転可能に固定され、つまみ部を前記ベースカバーの前記施解錠操作つまみ取付孔から外側に突出される施解錠操作つまみと、
を備え、
宅配ボックスを荷物の受け入れ待ちとするときは、前記ラッチ操作つまみを解錠にしておき、
宅配ボックスに荷物を入れるときに、前記ラッチ操作つまみの回転操作により扉を開けて、荷物を宅配ボックス内に入れ、扉を閉める前に扉の背面側で前記施解錠操作つまみの回転操作により前記ロック部材をロック位置へ回転させることにより前記ラッチ操作つまみを施錠状態とし、扉を閉めることで扉をオートロックし、
宅配ボックス内の荷物を取り出すときは、前記錠前ユニットに鍵を差し込み所定の方向に回すことにより、前記ロック部材をロック解除位置へ回転させて、前記ラッチ操作つまみを解錠する、
ことを特徴とする宅配ボックス用ラッチ錠。
【請求項２】
ロック部材はロック位置、ロック解除位置に回転される毎にディテントボール機構により保持され、前記ディテントボール機構は、ラッチ錠取付ベース内で錠前ユニット取付孔の縁部又はロック部材の正面開口の縁部のいずれか一方に設けられるディテント溝と、他方に取付孔を形成されて当該取付孔にディテントスプリングを介して当該取付孔から出没可能に配置され、前記ディテントボール溝に弾性的に係合されるディテントボールとからなる請求項１に記載の宅配ボックス用ラッチ錠。
【請求項３】
ラッチ錠取付ベースの正面にラッチ操作つまみの施錠状態又は解錠状態を表示するインジケータを備え、前記インジケータは、前記ラッチ錠取付ベース正面の錠前ユニット取付孔の縁部で前記ラッチ錠取付ベース内のロック部材の正面開口の縁部に対応する位置に形成される表示窓と、前記ロック部材がロック位置にあるときに前記表示窓に現れる前記ロック部材の正面開口の縁部に付設され、前記ラッチ操作つまみが施錠されていることを表示する施錠表示部材、及び前記ロック部材がロック解除位置にあるときに前記表示窓に現れる前記ロック部材の正面開口の縁部に付設され、前記ラッチ操作つまみが解錠されていることを表示する解錠表示部材とからなり、施解錠操作つまみによる施錠又は解錠の操作により前記表示窓に前記施錠表示部材又は前記解錠表示部材が表示され、錠前ユニットの鍵による解錠の操作により前記表示窓に前記解錠表示部材が表示される請求項１又は２に記載の宅配ボックス用ラッチ錠。
【請求項４】
ラッチ錠取付ベースの背面側に扉の内側からでも扉が開けられる内部解錠機能を備え、前記内部解錠機能は、ラッチの背面にラッチ錠取付ベースの背面から突出されるつまみを有し、前記ベースカバーの前記ラッチのつまみに対応する位置に、当該つまみを挿通し前記つまみを前記ラッチを前記ラッチ錠取付ベースのラッチ挿通部に没入させる方向に移動案内可能に長孔状のつまみ挿通部を有してなる請求項１乃至３のいずれかに記載の宅配ボックス用ラッチ錠。
【発明の詳細な説明】
【技術分野】
【０００１】
本発明は、宅配ボックスの扉の施解錠に使用する宅配ボックス用ラッチ錠に関する。
【背景技術】
【０００２】
近年、宅配業者によって配達される荷物を、居住者が不在であっても受け取ることのできる所謂宅配ボックスが普及しつつある。
この種の宅配ボックスには、扉を解錠するための暗証番号を宅配業者が任意に設定して受取人に知らせることができるなど、デジタル制御式のロック機構を採用するものが多い（例えば、特許文献１参照）。
一方、この種のロック機構では、構造が複雑で、配置スペースや製作コストの改良の余地があるとして、構造を簡単にしてコストの低減を図る施錠構造も、例えば、特許文献２により提案されている。
この文献２の施錠構造は、開口を有するボックス本体と開口を開閉自在な扉とを有する宅配ボックスに使用されるもので、扉に設けられ、ボックス本体に対して係合する施錠状態とボックス本体に対して係合しない解錠状態との間で揺動する揺動錠と、揺動錠の揺動を規制する規制位置と揺動錠の揺動を規制しない規制解除位置との間で往復移動自在なプッシュロックとを備えて構成され、プッシュロックは、揺動錠が施錠状態の場合は、規制解除位置から規制位置に移動可能であり、揺動錠が解錠状態の場合は、規制解除位置から規制位置に移動不能であり、規制位置に移動すると、規制位置から規制解除位置に移動不能となりロック状態となる。
このようにして特殊な機構や電装品を要することなく、単純な構造の施錠構造を提供することができる。
【先行技術文献】
【特許文献】
【０００３】
【特許文献１】特開２０１３−１２６４９８号公報
【特許文献２】実用新案登録第３２１１４１７号公報
【発明の概要】
【発明が解決しようとする課題】
【０００４】
しかしながら、上記従来の施錠構造では、宅配業者が扉を開け、宅配ボックスの内部に宅配物を収容した後、扉を閉め、揺動錠のつまみを左に９０°回して揺動錠のロック部を宅配ボックスに係合させ、続いて、プッシュロックを扉の表側から裏側に向けて押し込み、プッシュロックを規制解除位置から規制位置に移動することにより揺動錠をロックして、宅配ボックスを施錠するので、宅配ボックスを施錠するための操作が多く、操作性が悪い、という問題がある。
【０００５】
本発明は、このような従来の問題を解決するもので、簡単な構造で低コストを図り、しかも、施錠、解錠操作を容易にする宅配ボックス用ラッチ錠を提供すること、を目的とする。
【課題を解決するための手段】
【０００６】
上記目的を達成するために、本発明は、
宅配ボックスの扉に取り付けられ、宅配ボックスのボックス本体に設けられるラッチ受け部にラッチを係脱し、前記ラッチを施解錠する宅配ボックス用ラッチ錠であって、
背面に開口を有する箱形に形成されて、正面の前記ラッチ受け部側の一方の側にラッチ操作つまみ取付孔を有し、正面の他方の側に錠前ユニット取付孔を有し、前記ラッチ受け部側の一側面の背面側にラッチ挿通部を有し、前記扉の前記ラッチ受け部に近接する位置に装着されるラッチ錠取付ベース、及び前記ラッチ錠取付ベース背面の前記開口を被覆可能なプレートからなり、前記ラッチ錠取付ベースの前記錠前ユニット取付孔に対応する位置に施解錠操作つまみ取付孔を有し、前記ラッチ錠取付ベースの背面に取り付けられるベースカバーと、
前記ラッチ錠取付ベース内で前記ラッチ操作つまみ取付孔の内側に回転可能に配置される回転作動部材、前記回転作動部材の正面に設けられて前記ラッチ操作つまみ取付孔から外側に突出されるつまみ部、及び前記回転作動部材の背面に前記ラッチ錠取付ベースの背面方向に突出される凸状作動部からなり、前記ラッチ操作つまみ取付孔に取り付けられるラッチ操作つまみと、
前記ラッチ錠取付ベース内で前記ラッチ操作つまみの背面側に前記ラッチ錠取付ベースの一側面側所定の位置から他側面方向に又はその反対にスライド可能に配置され、前記ラッチ操作つまみの背面に対向する正面及びその反対側の背面にそれぞれ前記ラッチ錠取付ベースの正面及び背面方向に突出される凸状の作動連結部を有し、前記ラッチ錠取付ベースの一側面側所定の位置で前記正面の作動連結部と前記ラッチ操作つまみの前記凸状作動部が係合されて、前記ラッチ操作つまみの前記つまみ部の回転初期位置から所定方向の回転により、前記ラッチ錠取付ベースの一側面側所定の位置から他側面方向にスライドされるスライド作動部材と、
前記ラッチ錠取付ベース内に前記スライド作動部材の背面側で先端部側を前記ラッチ挿通部から出没可能にスライド可能に配置され、前記スライド作動部材の背面方向に向けられる正面に前記スライド作動部材の背面方向に突出される凸状の受け部を有し、前記先端部側が前記ラッチ挿通部から突出された状態での前記受け部と前記ラッチ錠取付ベースの一側面側所定の位置での前記スライド作動部材の前記背面の作動連結部が係合されて、前記スライド作動部材の前記ラッチ錠取付ベースの一側面側所定の位置から他側面方向へのスライドにより、前記先端部側が前記ラッチ挿通部から前記ラッチ錠取付ベース内に没入されるラッチと、
前記ラッチ錠取付ベース内に前記ラッチを前記ラッチ挿通部方向に押圧可能に配置され、常態として、前記ラッチの先端部側を前記ラッチ挿通部から突出させるとともに、前記ラッチの前記受け部及び前記スライド作動部材の前記背面の作動連結部との係合と、前記スライド作動部材の前記正面の作動連結部及び前記ラッチ操作つまみの前記凸状作動部との係合とにより、前記スライド作動部材を前記ラッチ錠取付ベースの一側面側所定の位置に位置決めし、前記ラッチ操作つまみを回転初期位置に保持するばね部材と、
前記ラッチ錠取付ベース内に前記錠前ユニット取付孔に鍵孔を表出しロータを前記ベースカバーの前記施解錠操作つまみ取付孔に対向させて設置される錠前ユニットと、
前記ラッチ錠取付ベース内で前記錠前ユニットの周面を包囲可能に正面に開口を有し背面にロータ挿通孔を有する略筒状を呈し、外周面に前記スライド作動部材が挿入可能な溝を有し、前記ロータ挿通孔の内周縁に所定の角度を設定されて当該ロータ挿通孔の内周縁と平行に形成されてなる係止溝を有し、前記ラッチ錠取付ベース内で前記錠前ユニットの周面の周囲に、前記溝を前記スライド作動部材のスライド方向に一致させないで前記スライド作動部材のスライドを規制するロック位置と前記溝を前記スライド作動部材のスライド方向に一致させて前記スライド作動部材のスライドを規制解除するロック解除位置との間を回転可能に設置されるロック部材と、
前記ロック部材背面の前記ロータ挿通孔に回転可能に嵌合される回転部材、及び前記回転部材の外周部に突出され、前記ロータ挿通孔の係止溝内に配置されて当該係止溝内の一端又は他端に係合される係止突起からなり、前記錠前ユニットのロータに一体に回転可能に取り付けられて、前記錠前ユニットに鍵を差し込み前記ロータを所定の方向に回転することにより、前記ロータ挿通孔内で前記回転部材が前記ロータの回転方向へ回転されるとともに前記係止溝内で前記係止突起が前記係止溝内の一端に係合された状態で前記ロータの回転方向へ回転されて前記ロック部材をロック解除位置へ回転するロータカムと、
前記ラッチ錠取付ベース内で前記錠前ユニットの背面側に前記錠前ユニットと同心的に配置されて、前記ロック部材の背面に前記ロック部材と一体的に回転可能に固定され、つまみ部を前記ベースカバーの前記施解錠操作つまみ取付孔から外側に突出される施解錠操作つまみと、
を備え、
宅配ボックスを荷物の受け入れ待ちとするときは、前記ラッチ操作つまみを解錠にしておき、
宅配ボックスに荷物を入れるときに、前記ラッチ操作つまみの回転操作により扉を開けて、荷物を宅配ボックス内に入れ、扉を閉める前に扉の背面側で前記施解錠操作つまみの回転操作により前記ロック部材をロック位置へ回転させることにより前記ラッチ操作つまみを施錠状態とし、扉を閉めることで扉をオートロックし、
宅配ボックス内の荷物を取り出すときは、前記錠前ユニットに鍵を差し込み所定の方向に回すことにより、前記ロック部材をロック解除位置へ回転させて、前記ラッチ操作つまみを解錠する、
ことを要旨とする。
【０００７】
この場合、ロック部材はロック位置、ロック解除位置に回転される毎にディテントボール機構により保持され、前記ディテントボール機構は、ラッチ錠取付ベース内で錠前ユニット取付孔の縁部又はロック部材の正面開口の縁部のいずれか一方に設けられるディテント溝と、他方に取付孔を形成されて当該取付孔にディテントスプリングを介して当該取付孔から出没可能に配置され、前記ディテントボール溝に弾性的に係合されるディテントボールとからなることが好ましい。
この場合、ラッチ錠取付ベースの正面にラッチ操作つまみの施錠状態又は解錠状態を表示するインジケータを備え、前記インジケータは、前記ラッチ錠取付ベース正面の錠前ユニット取付孔の縁部で前記ラッチ錠取付ベース内のロック部材の正面開口の縁部に対応する位置に形成される表示窓と、前記ロック部材がロック位置にあるときに前記表示窓に現れる前記ロック部材の正面開口の縁部に付設され、前記ラッチ操作つまみが施錠されていることを表示する施錠表示部材、及び前記ロック部材がロック解除位置にあるときに前記表示窓に現れる前記ロック部材の正面開口の縁部に付設され、前記ラッチ操作つまみが解錠されていることを表示する解錠表示部材とからなり、施解錠操作つまみによる施錠又は解錠の操作により前記表示窓に前記施錠表示部材又は前記解錠表示部材が表示され、錠前ユニットの鍵による解錠の操作により前記表示窓に前記解錠表示部材が表示されることが好ましい。
この場合、ラッチ錠取付ベースの背面側に扉の内側からでも扉が開けられる内部解錠機能を備え、前記内部解錠機能は、ラッチの背面にラッチ錠取付ベースの背面から突出されるつまみを有し、前記ベースカバーの前記ラッチのつまみに対応する位置に、当該つまみを挿通し前記つまみを前記ラッチを前記ラッチ錠取付ベースのラッチ挿通部に没入させる方向に移動案内可能に長孔状のつまみ挿通部を有してなることが好ましい。
【発明の効果】
【０００８】
本発明の宅配ボックス用ラッチ錠によれば、上記のとおり、ラッチ錠取付ベース及びベースカバーと、ラッチ操作つまみと、スライド作動部材と、ラッチと、ばね部材と、錠前ユニットと、ロック部材と、ロータカムと、施解錠操作つまみとからなり、荷物の受取人が宅配ボックスを荷物の受け入れ待ちとするときは、受取人はラッチ操作つまみを解錠にしておき、扉を閉めておけばよく、宅配業者が宅配ボックスに荷物を入れるときは、宅配業者は、ラッチ操作つまみの回転操作により扉を開けて、荷物を宅配ボックス内に入れ、扉を閉める前に（荷物を入れた後でもよく荷物を入れる前でもよい。）扉の背面側で施解錠操作つまみの回転操作によりロック部材をロック位置へ回転させることによりラッチ操作つまみを施錠状態とし、扉を閉めることで扉をオートロックし、受取人が宅配ボックス内の荷物を取り出すときは、受取人は、錠前ユニットに鍵を差し込み所定の方向に回すことにより、ロック部材をロック解除位置へ回転させてラッチ操作つまみを解錠し、扉を開けて、荷物を取り出すようにしたので、ラッチ錠を簡単な施錠構造にして、低コストを図ることができ、ラッチ錠のこの施錠構造により、扉の施錠、解錠を簡易な操作で行なうことができ、とりわけ、宅配ボックスに荷物を収納した後、扉を閉める際に、扉を閉めるだけのオートロックにしたので、宅配ボックスに荷物を収納した後の扉の施錠を容易にすることができる、という本発明独自の格別な効果を奏する。
【図面の簡単な説明】
【０００９】
【図１】本発明の一実施の形態における宅配ボックス用ラッチ錠の構成を示す図（（ａ）は正面図（ｂ）は背面図（ｃ）は特にベースカバーを取り外された状態の背面図）
【図２】同ラッチ錠の構成を示す図（（ａ）は平面断面図（ｂ）底面図）
【図３】同ラッチ錠の特にラッチ操作つまみの構成を示す図（（ａ）は正面図（ｂ）は平面断面図（ｃ）は背面図）
【図４】同ラッチ錠の特にスライド作動部材の構成を示す図（（ａ）は正面図（ｂ）は平面図（ｃ）は背面図）
【図５】同ラッチ錠の特にラッチの構成を示す図（（ａ）は正面図（ｂ）は平面断面図（ｃ）は背面図）
【図６】同ラッチ錠の特にロック部材の構成を示す図（（ａ）は正面図（ｂ）は平面断面図（ｃ）は側面図（ｄ）は背面図）
【図７】同ラッチ錠の特にロータカムの構成を示す図（（ａ）は正面図（ｂ）は平面図）
【図８】同ラッチ錠の特に施解錠操作つまみの構成を示す図（（ａ）は正面図（ｂ）は平面断面図（ｃ）は背面図）
【図９】同ラッチ錠の使用時の各部の動作を説明するための図（（ａ）は同ラッチ錠の解錠状態を示す背面図（ｂ）は同ラッチ錠の施錠状態を示す背面図）
【発明を実施するための形態】
【００１０】
以下、この発明を実施するための形態について図を用いて説明する。
図１に宅配ボックス用ラッチ錠の外部構成を示し、図２に宅配ボックス用ラッチ錠の内部構成を示し、図３、図４に宅配ボックス用ラッチ錠の各部の構成を示している。
【００１１】
図１、図２に示すように、宅配ボックス用ラッチ錠Ｌ（以下、単にラッチ錠Ｌという場合がある。）は、宅配ボックスの扉に取り付けられ、宅配ボックスのボックス本体に設けられるラッチ受け部にラッチを係脱し、ラッチを施解錠するもので、ラッチ錠取付ベース１及びベースカバー１４と、ラッチ操作つまみ２と、スライド作動部材３と、ラッチ４と、ばね部材５と、錠前ユニット６と、ロック部材７と、ロータカム８と、施解錠操作つまみ９とを備えて構成される。
また、このラッチ錠Ｌでは、さらに、ラッチ錠取付ベース１とロック部材７との間にディテントボール機構１２２、インジケータ１２１を併せて備え、ラッチ錠取付ベース１の背面側のベースカバー１４とラッチ４との間に内部解錠機能１４２を併せて備える。
なお、ここで宅配ボックスは、一般的に知られているもので、荷物を収容される正面に開口を有するボックス本体、及びこのボックス本体の正面の一側部にヒンジを介して回動可能に取り付けられ、ボックス本体の正面開口を開閉する扉とからなり、扉が回動式で、ラッチ受け部はボックス本体の正面開口の他側部側で上下方向中間部に設けられる。
【００１２】
図１、図２に示すように、ラッチ錠取付ベース１は、背面に開口１０を有する箱形に形成されて、正面のラッチ受け部側の一方の側にラッチ操作つまみ取付孔１１を有し、正面の他方の側に錠前ユニット取付孔１２を有し、正面の錠前ユニット取付孔１２の縁部にインジケータ１２１の表示窓１２０を有し、ラッチ受け部側の一側面の背面側にラッチ挿通部１３を有し、扉のラッチ受け部に近接する位置に装着される。
この場合、ラッチ錠取付ベース１は、全体が横長の直方体状に形成され、正面、天面、底面、左右の各側面からなり、ラッチ錠取付ベース１正面の左側にラッチ操作つまみ取付孔１１、正面の右側に錠前ユニット取付孔１２がそれぞれ、所定の大きさの円形に形成され、背面は開口される。なお、ラッチ操作つまみ取付孔１１にあっては、ラッチ錠取付ベース１の正面の内面側でラッチ操作つまみ取付孔１１の縁部周囲にラッチ操作つまみ取付孔１１よりも少し大径の円形のフレーム１１０が併せて形成される。また、この場合、ラッチ錠取付ベース１の内部はラッチ操作つまみ取付孔１１と錠前ユニット取付孔１２との間に隔壁１１１が形成されてラッチ操作つまみ関連の部品取付部１ａと錠前ユニット関連の部品取付部１ｂに仕切られ、また、隔壁１１１の上下方向中間部に切欠部１１２が形成されてこの切欠部１１２により各部品取付部１ａ、１ｂ間が連通される。さらに、切欠部１１２上下の隔壁１１１各部にはラッチ操作つまみ関連の部品取付部１ａ側の各面にばね受け部１１３が設けられる。そして、ラッチ錠取付ベース１の左側面の背面側縁部中央にラッチ挿通部１３がコ字形の溝状に形成される。なお、ラッチ錠取付ベース１の内壁にはベースカバー１４取付用の複数のボス１１４及びラッチ錠Ｌ取付用の複数のボス１１５が形成され、これら各ボス１１４、１１５に雌ねじが切られる。
また、この場合、ラッチ錠取付ベース１の正面に後述のラッチ操作つまみ２の施錠状態又は解錠状態を表示するインジケータ１２１を備えるため、表示窓１２０がラッチ錠取付ベース１正面の錠前ユニット取付孔１２の縁部でラッチ錠取付ベース１内に設置される後述のロック部材７の正面開口９０の縁部に対応する位置、ここでは錠前ユニット取付孔１２の左側に錠前ユニット取付孔１２に近接して開口を穿たれ、この開口に透明のアクリル板が組み込まれて形成される。
さらに、この場合、ロック部材７がロック位置、ロック解除位置に回転される毎にロック部材７をロック位置、ロック解除位置にロックするディテントボール機構１２２を備えるため、ラッチ錠取付ベース１内で錠前ユニット取付孔１２の縁部に、ここでは錠前ユニット取付孔１２の右側及び下側（直下）に錠前ユニット取付孔１２に近接して２つ９０°の間隔でディテント溝１２３が形成される。なお、この場合、反対に、錠前ユニット取付孔１２の縁部に取付孔を形成されてこの取付孔にディテントボールがディテントスプリングを介してこの取付孔から出没可能に配置され、これに対応して、ロック部材７の正面開口７０の縁部にディテント溝が２つ９０°間隔で形成されて、ラッチ錠取付ベース１側のディテントボールがロック部材７側の各ディテントボール溝に弾性的に係合されるようにしてもよい。
ベースカバー１４は、ラッチ錠取付ベース１背面の開口１０を被覆可能なプレートからなり、ラッチ錠取付ベース１の錠前ユニット取付孔１２に対応する位置に施解錠操作つまみ取付孔１４０を有し、ラッチ錠取付ベース１の背面に取り付けられる。
この場合、ベースカバー１４は、ラッチ錠取付ベース１背面の開口１０を被覆可能に横長の長方形上のプレートからなり、ラッチ錠取付ベース１の錠前ユニット取付孔１２に対応して施解錠操作つまみ取付孔１４０が所定の大きさの円形に形成される。なお、ベースカバー１４には、ラッチ錠取付ベース１背面の各ボス１１４、１１５に対応して、複数のねじ挿通部１４１ａ、１４１ｂが設けられる。
また、この場合、ラッチ錠取付ベース１の背面側に扉の内側からでも扉が開けられる内部解錠機能１４２を備えるため、ベースカバー１４の後述するラッチ４のつまみに対応する位置に、つまみ４３を挿通しこのつまみ４３によりラッチ４をラッチ錠取付ベース１のラッチ挿通部１３に没入させる方向に移動案内可能に長孔状のつまみ挿通部１４３が併せて形成される。
このようにしてラッチ錠取付ベース１の各部品取付部１ａ、１ｂに後述する各部材が取り付けられて、ラッチ錠取付ベース１の背面開口１０にベースカバー１４が各ねじ挿通部１４１ａに取付ねじＳ１を通されラッチ錠取付ベース１の取付用の各ボス１１４に締め込まれて固定される。そして、後述の各部材を含めて組み立て完成後のラッチ錠Ｌは、扉のラッチ受け部に近接する位置に、図２（ｂ）に２点鎖線で示す止め金具１５を介して、取付ねじＳ２により取り付けられる。
【００１３】
図１、図２に示すように、ラッチ操作つまみ２は、ラッチ錠取付ベース１内でラッチ操作つまみ取付孔１１の内側に回転可能に配置される回転作動部材２１、回転作動部材２１の正面に設けられてラッチ操作つまみ取付孔１１から外側に突出されるつまみ部２２、及び回転作動部材２１の背面にラッチ錠取付ベース１の背面方向に突出される凸状作動部２３からなり、ラッチ操作つまみ取付孔１１に取り付けられる。
この場合、回転作動部材２１は、図３に示すように、ラッチ操作つまみ取付孔１に嵌合可能な円形の前部２１Ｆとラッチ錠取付ベース１の正面内面側でラッチ操作つまみ取付孔１１の縁部に接し円形のフレーム１１０内に嵌合可能な円形筒状の後部２１Ｒとからなる。つまみ部２２は、図３に示すように、回転作動部材２１の前部２１Ｆの前面の中央に縦長の直方体状に形成される。なお、このつまみ部２２の正面で上部側の端部には三角形のマーク２Ｍが付けられる。凸状作動部２３は回転作動部材２１の後部の中央から少し左側に外れた位置につまみ部２２と平行につまみ部２２よりも小さい縦長の直方体状に形成される。
このようにしてラッチ操作つまみ２は、ラッチ錠取付ベース１のラッチ操作つまみ取付孔１１と円形のフレーム１１０との間に回転可能に取り付けられる。
【００１４】
図１、図２に示すように、スライド作動部材３は、ラッチ錠取付ベース１内でラッチ操作つまみ２の背面側にラッチ錠取付ベース１の一側面側所定の位置から他側面方向に又はその反対にスライド可能に配置され、ラッチ操作つまみ２の背面に対向する正面及びその反対側の背面にそれぞれラッチ錠取付ベース１の正面及び背面方向に突出される凸状の作動連結部３１、３２を有し、ラッチ錠取付ベース１の一側面側所定の位置で正面の作動連結部３１とラッチ操作つまみ２の凸状作動部２３が係合されて、ラッチ操作つまみ２のつまみ部２２の回転初期位置（つまみ部２２のマーク２Ｍが直上位置にある状態）から所定方向の回転により、ラッチ錠取付ベース１の一側面側所定の位置から他側面方向にスライド可能に構成される。
この場合、スライド作動部材３は、図４に示すように、ラッチ錠取付ベース１のラッチ操作つまみ関連の部品取付部１ａ内の上下方向中央に配置可能でかつラッチ錠取付ベース１の一側面、この場合、左側面と隔壁１１１との間をスライド可能な大きさの横長の長方形の平板からなり、正面及び背面の一方の側部側、この場合、左側部側の略半部にそれぞれ凹部３１０、３２０を形成されて正面の中間部及び背面の左端部にラッチ錠取付ベース１の正面及び背面方向に突出される凸状の作動連結部３１、３２を有する基部３３と、基部３３の一方の側部、この場合、右側部の中央から突出され、隔壁１１１の切欠部１１２を挿通可能な凸状部３４とからなる。
このようにしてラッチ錠取付ベース１内でスライド作動部材３は、凸状部３４を隔壁１１１の切欠部１１２に向けてラッチ操作つまみ２の背面側に配置され、基部３３がラッチ錠取付ベース１の左側面側所定の位置、この場合、左側面に接する位置で基部３３正面の作動連結部３１の左側面とラッチ操作つまみ２の凸状作動部２３の右側面が当接して係合され、ラッチ操作つまみ２のつまみ部２２の回転初期位置（つまみ部２２が縦向きでマーク２Ｍが上方にある状態）から所定方向、この場合、右回りの回転により、ラッチ錠取付ベース１の左側面側所定の位置から右側面方向にスライド可能に構成され、基部３３のスライドにより、凸状部３４がラッチ錠取付ベース１内で隔壁１１１の切欠部１１２を境に操作つまみ関連の部品取付部１ａから錠前ユニット関連の部品取付部１ｂへ又はその反対に進退可能になっている。
【００１５】
図１、図２に示すように、ラッチ４は、ラッチ錠取付ベース１内でスライド作動部材３の背面側に先端部側をラッチ挿通部１３から出没可能にスライド可能に配置され、スライド作動部材３の背面方向に向けられる正面にスライド作動部材３の背面方向に突出される凸状の受け部４１を有し、先端部側がラッチ挿通部１３から突出された状態での受け部４１とラッチ錠取付ベース１の一側面側所定の位置でのスライド作動部材３の背面の作動連結部３２が係合されて、スライド作動部材３のラッチ錠取付ベース１の一側面側所定の位置から他側面方向へのスライドにより、先端部側がラッチ挿通部１３からラッチ錠取付ベース１内に没入可能に構成される。
この場合、ラッチ４は、図５に示すように、ラッチ錠取付ベース１内でスライド作動部材３とベースカバー１４との間にラッチ錠取付ベース１の左側面と隔壁１１１との間をスライド可能な大きさの横に長い長方形の板からなり、先端部側が平面視断面略扇形に形成されて正面が平坦に背面が斜めの曲面状を呈し、後端には上下両側にばね受け部４２が設けられる。そして、ラッチ４の正面の左右方向中間部に、凸状の受け部４１が、ラッチ４の先端部側をラッチ挿通部１３から突出された状態でラッチ錠取付ベース１の左側面側所定の位置でのスライド作動部材３背面の作動連結部３２に係合可能に、上下方向に長い略直方体状に形成される。
また、この場合、ラッチ錠取付ベース１の背面側に扉の内側からでも扉が開けられる内部解錠機能１４２を備えるため、ラッチ４の背面にラッチ錠取付ベース１の背面開口１０から突出されるつまみ４３を有する。
このようにしてラッチ４は、ラッチ錠取付ベース１内にスライド作動部材３の背面側で先端部側をラッチ挿通部１３から出没可能にスライド可能に配置され、先端部側がラッチ挿通部１３から突出された状態での受け部４１の左側面とラッチ錠取付ベース１の左側面側所定の位置でのスライド作動部材３の正面の作動連結部３１の右側面が当接して係合され、ラッチ操作つまみ２の回転初期位置から右回りの回転操作によるスライド作動部材３のラッチ錠取付ベース１の左側面側所定の位置から右側面方向へのスライドにより、ラッチ４の先端部側がラッチ挿通部１３からラッチ錠取付ベース１内に没入可能になっている。そして、ラッチ４のつまみ４３はベースカバー１４のつまみ挿通部１４３から外側に突出して配置され、このつまみ４３をラッチ挿通部１３側からその反対方向へ移動させることにより、ラッチ４がラッチ錠取付ベース１のラッチ挿通部１３に没入されて、宅配ボックスのボックス本体内部から扉が開けられるようになっている。
【００１６】
図１、図２に示すように、ばね部材５は、ラッチ錠取付ベース１内にラッチ４をラッチ挿通部１３方向に押圧可能に配置され、常態として、ラッチ４の先端部側をラッチ挿通部１３から突出させるとともに、ラッチ４の受け部４１及びスライド作動部材３の背面の作動連結部３２との係合と、スライド作動部材３の正面の作動連結部３１及びラッチ操作つまみ２の凸状作動部２３との係合とにより、スライド作動部材３をラッチ錠取付ベース１の一側面側所定の位置に位置決めし、ラッチ操作つまみ２を回転初期位置に保持可能に構成される。
この場合、ばね部材５はコイルスプリング（以下、コイルスプリング５という。）が採用され、ラッチ錠取付ベース１内で隔壁１１１のラッチ操作つまみ関連の部品取付部１ａ側の面に形成された各ばね受け部１１３とラッチ４後端の各ばね受け部４２との間に圧縮して介装される。
このようにしてラッチ４は先端部側が常態としてラッチ挿通部１３から突出されるとともに、このラッチ４の受け部４１及びスライド作動部材３の背面の作動連結部３２との係合と、スライド作動部材３の正面の作動連結部３１及びラッチ操作つまみ２の凸状作動部２３との係合とにより、スライド作動部材３が常態としてラッチ錠取付ベース１の左側面側所定の位置に位置決めされ、ラッチ操作つまみ２はつまみ部２２が常態として回転初期位置に保持されるようになっている。
【００１７】
図１、図２に示すように、錠前ユニット６はラッチ錠取付ベース１内に錠前ユニット取付孔１２に鍵孔６０を表出しロータ６１をベースカバー１４の施解錠操作つまみ取付孔１４０に対向させて設置される。
この場合、錠前ユニット６は、一般に使用されるシリンダー錠（以下、シリンダー錠６という。）が採用され、周知のとおり、正面の鍵孔６０に鍵を差し込むことにより解錠され（反対に、正面の鍵孔６０から鍵を抜き取ることにより施錠され）、鍵を回転操作することによりロータ６１が回転する形式のもので、この場合、鍵の抜く位置と差し込む位置が１箇所の所謂１点抜きになっている。また、この場合、鍵の抜き差しを可能とするこの１箇所がシリンダー錠６の施錠位置になり、この施錠位置から右回転で解錠位置まで９０°回転可能になっている。なお、この錠前ユニット６は鍵孔６０の周囲にフランジ６２を有し、本体の周面にねじが切られてナット６３が取り付けられる。また、ロータ６１の後端は後述するロータカム８を取り付けるため、断面略小判形に形成される。
このようにして錠前ユニット６はロータ６１側からラッチ錠取付ベース１の錠前ユニット取付孔１２に外側から挿入され、鍵孔６０を錠前ユニット取付孔１２に表出して、ロータ６１をベースカバー１４の施解錠操作つまみ取付孔１４０に向けて、ラッチ錠取付ベース１内に設置され、本体外周面のナット６３を締め込んで、鍵孔６０周囲のフランジ６２とナット６３とによりラッチ錠取付ベース１の錠前ユニット取付孔１２の周縁部を挟持して固定される。この場合、錠前ユニット６の鍵孔６０は横向きの状態が施錠位置で鍵を抜き差し可能とし、右に９０°回されて縦向きの状態が解錠位置になっている。
【００１８】
図１、図２に示すように、ロック部材７は、ラッチ錠取付ベース１内で錠前ユニット６の周面を包囲可能に正面に開口７０を有し背面にロータ挿通孔７１を有する略筒状を呈し、外周面にスライド作動部材３が挿入可能な溝７３を有し、ロータ挿通孔７１の内周縁に所定の角度を設定されて当該ロータ挿通孔７１の内周縁と平行に形成されてなる係止溝７２を有し、ラッチ錠取付ベース１内で錠前ユニット６の周面の周囲に、溝７３をスライド作動部材３のスライド方向に一致させないでスライド作動部材３のスライドを規制するロック位置と溝７３をスライド作動部材３のスライド方向に一致させてスライド作動部材３のスライドを規制解除するロック解除位置との間を回転可能に設置される。
この場合、ロック部材７は、図６に示すように、錠前ユニット６のナット６３よりも大径の略円筒状に形成されて、正面は円形の開口７０として開放され、背面は中央にロータ挿通孔７１が形成されてその周囲は閉塞される。ロータ挿通孔７１は錠前ユニット６のロータ６１に作動連結される後述のロータカム８を嵌合可能に略円形に開口され、その開口周縁部に係止溝７２が後述のロータカム８の係止突起８１が９０°まで回動可能に９０°を少し超える角度でロータ挿通孔７１の内周縁と平行に形成される。また、このロック部材７の背面には、ロータ挿通孔７１の周囲に９０°間隔で４つの係止孔７４が穿たれる。なお、これらの係止孔７４は係止溝でもよい。また、ロック部材７は周面部が肉厚になっていて、外周面の一部に溝７３が既述のスライド作動部材３の凸状部３４を挿入可能に正面視略コ字形に形成される。
また、この場合、ロック部材７がロック位置、ロック解除位置に回転される毎にロック部材７をロック位置、ロック解除位置にロックするディテントボール機構１２２を備えるため、正面開口７０の肉厚の縁部の一部に取付孔７５が併せて設けられ、この取付孔７５にディテントボール７６がディテントスプリング７７を介してこの取付孔７５から出没可能に配置され、ラッチ錠取付ベース１のディテントボール溝１２３に弾性的に係合可能になっている。なお、この場合、既述のとおり、ラッチ錠取付ベース１内で錠前ユニット取付孔１２の縁部に取付孔を形成されてこの取付孔にディテントボールがディテントスプリングを介してこの取付孔から出没可能に配置され、これに対応して、ロック部材７の正面開口の肉厚の縁部の一部にディテント溝が２つ形成され、ラッチ錠取付ベース１側のディテントボールがロック部材７側の各ディテントボール溝に弾性的に係合可能になっていてもよい。
さらに、この場合、ラッチ錠取付ベース１正面の表示窓１２０とともにインジケータ１２１を備えるため、ロック部材７の正面開口７０の縁部に、ラッチ操作つまみ２が施錠されていることを表示する施錠表示部材７８、及びラッチ操作つまみ２が解錠されていることを表示する解錠表示部材７９が付設される。ここでは、ロック部材７がロック位置にあるときに表示窓１２０に現れるロック部材７の正面開口７０の縁部に、ラッチ操作つまみ２が施錠されていることを表示する施錠表示部材７８として赤色のストッパーシールが貼着され、ロック部材７がロック解除位置にあるときに表示窓１２０に現れるロック部材７の正面開口７０の縁部に、ラッチ操作つまみ２が解錠されていることを表示する解錠表示部材７９として緑色のストッパーシールが貼着される。
このようにしてロック部材７はラッチ錠取付ベース１内で錠前ユニット６の周面の周囲に、ロック位置とロック解除位置との間を所定の回転角度、この場合、９０°回転可能に、また、ロック部材７がロック位置、ロック解除位置に回転される毎にこれらの位置にディテントボール機構１２２により保持可能に設置される。
そして、後述の施解錠操作つまみ９による施錠又は解錠の操作によりラッチ操作つまみ２が施錠又は解錠されると、ラッチ錠取付ベース１正面の表示窓１２０に施錠表示部材７８又は解錠表示部材７９として赤色のストッパーシール又は緑色のストッパーシールが表示され、錠前ユニット６の鍵による解錠の操作によりラッチ操作つまみ２が解錠されると、ラッチ錠取付ベース１正面の表示窓１２０に解錠表示部材７９として緑色のストッパーシールが表示される。
【００１９】
図１、図２に示すように、ロータカム８は、ロック部材７背面のロータ挿通孔７１に回転可能に嵌合される回転部材８０、及び回転部材８０の外周部に突出され、ロータ挿通孔７１の係止溝７２内に配置されて当該係止溝７２内の一端又は他端に係合される係止突起８１からなり、錠前ユニット６のロータ６１に一体に回転可能に取り付けられて、錠前ユニット６に鍵を差し込みロータ６１を解錠方向の所定の方向に回転することにより、ロータ挿通孔７１内で回転部材８０がロータ６１の回転方向へ回転されるとともに係止溝７２内で係止突起８１が係止溝７２内の一端に係合された状態でロータ６１の回転方向へ回転されてロック部材７をロック解除位置へ回転可能に構成される。
この場合、ロータカム８は、図７に示すように、回転部材８０がロック部材７背面のロータ挿通孔内７１に嵌合して回転可能にロータ挿通孔７１の内径よりも僅かに小径の円柱形の前部８０１とロータ挿通孔７１の周縁部に当接して回転可能にロータ挿通孔７１の内径よりも少し大径の円板形の後部８０２とからなり、円柱形の前部８０１及び円板形の後部８０２の中心に錠前ユニット６のロータ６１の先端の軸を嵌挿可能に断面小判形の孔を有し、係止突起８１は円柱形の前部８０１の外周面に軸方向に向けて延びる凸状に先端面を断面円弧状にして形成される。
このようにしてロータカム８は錠前ユニット６のロータ６１の後端に外嵌されてロータ６１と一体的に回転可能に取り付けられる。そして、錠前ユニット６の鍵孔６０が横向きの施錠位置で鍵を鍵孔６０に差し込みロータ６１を所定の方向、この場合、右方向に９０°回転することにより、ロータ挿通孔７１内で回転部材８０がロータ６１の回転方向へ回転されるとともに係止溝７２内で係止突起８１が係止溝７２内の一端に係合された状態からロータ６１の回転方向へ回転されてロック部材７がロック解除位置へ回転される。
【００２０】
図１、図２に示すように、施解錠操作つまみ９は、ラッチ錠取付ベース１内で錠前ユニット６の背面側に錠前ユニット６と同心的に配置されて、ロック部材７の背面にロック部材７と一体的に回転可能に固定され、つまみ部９１がベースカバー１４の施解錠操作つまみ取付孔１４０から外側に突出される。
この場合、施解錠操作つまみ９は、図８に示すように、サムターンつまみからなり、正面を開口され背面を閉塞された円筒状の回転部９０と、回転部９０の背面中央に細長い長方形の柱状に突出されるつまみ部９１とを有し、回転部９０の正面開口縁部にロック部材７背面の各係止孔７４に嵌合可能に９０°間隔で４つの係止突起９２が形成される。なお、つまみ部９１の正面で下部側の端部に三角形のマーク９Ｍが付けられる。
このようにして施解錠操作つまみ９は回転部９０がラッチ錠取付ベース１内に錠前ユニット６の背面側でロック部材７の背面にロック部材７と４つの係止突起９２と係止孔７４との係合により一体的に回転可能に固定され、つまみ部９１はベースカバー１４の施解錠操作つまみ取付孔１４０から外側に突出される。そして、この場合、ラッチ錠取付ベース１背面のベースカバー１４側でこの施解錠操作つまみ９はつまみ部９１が縦向きでマーク９Ｍが下方にあると、ラッチ錠取付ベース１内でロック部材７はロック解除位置に（ディテントボール機構１２２により）保持され、つまみ部９１を右方向に９０°回し横向きでマーク９Ｍが左にあると、ロック部材７はロック位置に回転されて保持される。反対に横向きのつまみ部９１を左方向に９０°回すと、ロック部材７はロック解除位置に戻されてロックが解除される。なお、ベースカバー１４には、つまみ部９１が縦向きでマーク９Ｍに対向する位置にＯＰＥＮ（ロック解除位置）、つまみ部９１が横向きでマーク９Ｍに対向する位置にＬＯＣＫ（ロック位置）、をそれぞれ示す表示が施される。そして、既述のとおり、施解錠操作つまみ９による施錠又は解錠の操作によりラッチ操作つまみ２が施錠又は解錠されると、ラッチ錠取付ベース１正面の表示窓１２０に施錠表示部材７８又は解錠表示部材７９として赤色のストッパーシール又は緑色のストッパーシールが表示され、錠前ユニット６の鍵による解錠の操作によりラッチ操作つまみ２が解錠されると、ラッチ錠取付ベース１正面の表示窓１２０に解錠表示部材７９として緑色のストッパーシールが表示される。
【００２１】
宅配ボックス用ラッチ錠Ｌはかかる構成からなり、宅配ボックスを荷物の受け入れ待ちとするときは、ラッチ操作つまみ２を解錠にしておき、宅配ボックスに荷物を入れるときに、ラッチ操作つまみ２の回転操作により扉を開けて、荷物を宅配ボックス内に入れ、扉を閉める前に扉の背面側で施解錠操作つまみ２の回転操作によりロック部材７をロック位置へ回転させることによりラッチ操作つまみ２を施錠状態とし、扉を閉めることで扉をオートロックし、宅配ボックス内の荷物を取り出すときは、錠前ユニット６に鍵を差し込み所定の方向に回すことにより、ロック部材７をロック解除位置へ回転させて、ラッチ操作つまみ２を解錠するようになっている。
【００２２】
次に、図２（ａ）を用い、併せて図９（ａ）、（ｂ）を参照しながら、宅配ボックス用ラッチ錠Ｌの使用例とともにこのラッチ錠Ｌの各部の動作について説明する。
【００２３】
まず、荷物の受取人が宅配ボックスを荷物の受け入れ待ちとするときは、ラッチ操作つまみ２を解錠にしておく。
このとき、宅配ボックスの扉が閉められ、ラッチ操作つまみ２が解錠されていれば、特に必要な操作はないが、ラッチ操作つまみ２が施錠されていれば、ラッチ操作つまみ２を解錠する。ここでラッチ操作つまみ２が施錠された状態は、ロック部材７がロック位置にロックされて、ロック部材７の溝７３がスライド作動部材３のスライド方向に一致されない状態であり、スライド作動部材３がラッチ錠取付ベース１の左側面所定の位置から右方向にスライドできないために、ラッチ操作つまみ２が回転不能になっている。この場合、ラッチ操作つまみ２を解錠するには、錠前ユニット６の横向きでロック位置の鍵孔６０に鍵を差し込み所定の方向、この場合、右に９０°回すことにより、ロータ６１が右方向に９０°回転されて、ロック部材７のロータ挿通孔７１内で回転部材８０がロータ６１の回転方向へ回転されるとともに係止溝７２内で係止突起８１が係止溝７２内の一端に係合された状態からロータ６１の回転方向へ回転されてロック部材７がロック解除位置へ回転され、このロック解除位置にディテント機構１２２により保持される。なお、このとき、図９（ａ）に示すように、ロック部材７に連結された施解錠操作つまみ９がロック部材７とともに９０°回転され、つまみ部９１がマーク９Ｍを下方のＯＰＥＮの表示に向けて縦向きとなる。これにより、ロック部材７外周面の溝７３がスライド作動部材３のスライド方向に一致されてスライド作動部材３のスライドが規制解除され、これによりラッチ操作つまみ２が回転可能に解錠される。また、この場合、錠前ユニット６の鍵の操作によるロック部材７の回転により、ラッチ錠取付ベース１正面の表示窓１２０の表示が施錠表示部材７８としての赤色のストッパーシールから解錠表示部材７９として緑色のストッパーシールに変わり、ラッチ操作つまみ２が解錠されたことが一目して確認できる。なお、ラッチ操作つまみ２の解錠後、錠前ユニット６から鍵を引き抜くときは、この鍵が一点抜きになっていることで、鍵を９０°左に回し鍵孔６０を横向きのロック位置に戻してから引き抜けばよい。この場合、ラッチ操作つまみ２の解錠時点で、錠前ユニット６の鍵孔６０は縦向きの解錠位置で鍵が縦向きになっており、鍵を左に９０°回すと、ロータ６１が左方向に９０°回転されて、ロック部材７のロータ挿通孔７１内で回転部材８０がロータ６１の回転方向へ回転されるとともに係止溝７２内で係止突起８１が係止溝７２内をロータ６１の回転方向へ、すなわち係止溝７２の一端から他端へ回転され、ロック部材７はロック解除位置に固定されたままで、錠前ユニット６の鍵孔６０のみが横向きの施錠位置に戻されて、鍵を引き抜くことができる。
【００２４】
次に、宅配業者が宅配ボックスに荷物を入れるときは、ラッチ操作つまみ２の回転操作により扉を開けて、荷物を宅配ボックス内に入れる。このとき、ラッチ錠Ｌのラッチ操作つまみ２は解錠にしてあるので、ラッチ操作つまみ２のつまみ部２２を回転初期位置の状態から右に回し、扉を開けて、荷物を宅配ボックスに入れればよい。
この場合、ラッチ操作つまみ２のつまみ部２２を回転初期位置の状態から右に回すと、ラッチ操作つまみ２の回転作動部材２１とともに凸状作動部２３が右回転され、このラッチ操作つまみ２に凸状作動部２３と正面の作動連結部３１との係合により作動連結されたスライド作動部材３はラッチ錠取付ベース１の左側面所定の位置からスライド作動部材３の凸状部３４がロック部材７の溝７３に挿入されながら右方向にスライドされ、このスライド作動部材３にスライド作動部材３背面の作動連結部３２とラッチ４正面の受け部４１との係合により作動連結されたラッチ４が右方向に移動され、ラッチ錠取付ベース１のラッチ挿通部１４からラッチ錠取付ベース１内に没入されて、ラッチ４が宅配ボックスのボックス本体のラッチ受け部から離脱される。この状態からラッチ操作つまみ２を引けば扉が開き、ボックス本体内に荷物を入れることができる。
そして、荷物を宅配ボックスに入れたら、扉を閉める前に、施解錠操作つまみ９の回転操作によりロック部材７をロック解除位置からロック位置へ回転させ、この状態から扉を閉めて、ラッチ操作つまみ２を施錠する。
この場合、荷物を宅配ボックスに入れた後、扉を閉める前に、図９（ｂ）に示すように、扉の背面でラッチ錠Ｌの施解錠操作つまみ９を右に９０°回転してマーク９Ｍを左側のＬＯＣＫの表示に向けて横向きにすると、施解錠操作つまみ９に固定されたロック部材７はロック部材７周面の溝７３がスライド作動部材３のスライド方向に一致されてスライド作動部材３のスライドを規制解除するロック解除位置からスライド作動部材３のスライド方向に一致されないでスライド作動部材３のスライドを規制するロック位置へ回転され、このロック位置にディテント機構１２２により保持される。これにより、スライド作動部材３はラッチ錠取付ベース１の左側面所定の位置から、スライド作動部材３の凸状部３４がロック部材７の外周面に衝接して、右方向へスライド不能となり、このスライド作動部材３に正面の作動連結部３１と凸状作動部２３との係合により作動連結されたラッチ操作つまみ２は回転不能に施錠される。また、この場合、施解錠操作つまみ９の施錠操作によるロック部材７の回転により、ラッチ錠取付ベース１正面の表示窓１２０の表示が解錠表示部材７９として緑色のストッパーシールから施錠表示部材７８として赤色のストッパーシールに変わり、ラッチ操作つまみ２が施錠されたことが一目して確認できる。
そして、この状態から扉を閉めると、ラッチ４それ自体はラッチ錠取付ベース１のラッチ挿通部１３から没入方向への移動を規制されていないため、ラッチ４は先端部側の斜め曲面状の背面が宅配ボックスのボックス本体の開口縁部に押し当てられてコイルスプリング５を圧縮しながらラッチ錠取付ベース１のラッチ挿通部１３に没入されていき、ボックス本体の開口縁部を乗り越え、扉が閉まると、ボックス本体内でラッチ４がコイルスプリング５の付勢力により弾性復帰してボックス本体のラッチ受け部に係合されて扉が閉鎖される。ラッチ操作つまみ２は既に施錠状態になっているので、扉はオートロックされ、鍵なしでは開けることができない。
【００２５】
そして、受取人が宅配ボックス内の荷物を取り出すときは、錠前ユニット６に鍵を差し込み所定の方向に回して、ロック部材７をロック解除位置に回転し、ラッチ操作つまみ２を解錠する。
この場合、錠前ユニット６の鍵孔６０が横向きの施錠位置で鍵を鍵孔６０に差し込み、所定の方向、この場合、右方向に９０°回すと、ロータ６１が右方向に９０°回転され、ロック部材７のロータ挿通孔７１内で回転部材８０がロータ６１の回転方向へ回転されるとともに係止溝７２内で係止突起８１が係止溝７２内の一端に係合された状態からロータ６１の回転方向へ回転されてロック部材７がロック解除位置へ回転され、このロック位置にディテント機構１２２により保持される。なお、このとき、ロック部材７に連結された施解錠操作つまみ９がロック部材７とともに９０°回転され、つまみ部９１がマーク９Ｍを下方のＯＰＥＮの表示に向けて縦向きとなる。これにより、ロック部材７外周面の溝７３がスライド作動部材３のスライド方向に一致されてスライド作動部材３のスライドが規制解除され、ラッチ操作つまみ２が回転可能に解錠される。また、この場合、錠前ユニット６の鍵の操作によるロック部材７の回転により、ラッチ錠取付ベース１正面の表示窓１２０の表示が施錠表示部材として赤色のストッパーシールから解錠表示部材７９として緑色のストッパーシールに変わり、ラッチ操作つまみ２が解錠されたことが一目して確認できる。
かくしてラッチ操作つまみ２のつまみ部２２を回転初期位置の状態から右に回すと、ラッチ操作つまみ２の回転作動部材２１とともに凸状作動部２３が右回転され、ラッチ錠取付ベース１の左側面所定の位置でこのラッチ操作つまみ２に凸状作動部２３と正面の作動連結部３１との係合により作動連結されたスライド作動部材３がロック部材７の溝７３に挿入されながら右方向にスライドされ、このスライド作動部材３にスライド作動部材３背面の作動連結部３２とラッチ４正面の受け部４１との係合により作動連結されたラッチ４が右方向に移動され、ラッチ錠取付ベース１のラッチ挿通部１３からラッチ錠取付ベース１内に没入されて、ラッチ４が宅配ボックスのボックス本体のラッチ受け部から離脱される。この状態でラッチ操作つまみ２を引けば扉が開き、ボックス本体から荷物を取り出すことができる。
なお、荷物の取り出し後、錠前ユニット６から鍵を抜くときは、既述のとおり、鍵を左に９０°回し鍵孔６０を横向きの施錠位置に戻して引き抜けばよい。また、扉を閉める際に、ラッチ錠Ｌをこの解錠のままとする場合は、特に操作は必要ないが、ラッチ錠Ｌを施錠する場合は、扉を閉める前に、扉の背面側で、既述のとおり、施解錠操作つまみ９を右に回してロック部材７をロック位置に回動しておけばよく、これにより、扉を閉めるだけで、扉はオートロックされる。
【００２６】
以上説明したように、この宅配ボックス用ラッチ錠Ｌによれば、上記のとおり、ラッチ錠取付ベース１及びベースカバー１４と、ラッチ操作つまみ２と、スライド作動部材３と、ラッチ４と、コイルスプリング５と、シリンダー錠６と、ロック部材７と、ロータカム８と、施解錠操作つまみ９とからなるので、施錠構造を簡単な構造にして低コストを図ることができる。そして、この宅配ボックス用ラッチ錠Ｌでは、荷物の受取人が宅配ボックスを荷物の受け入れ待ちとするときは、受取人はラッチ操作つまみ２を解錠にしておき、扉を閉めておけばよく、宅配業者が宅配ボックスに荷物を入れるときは、宅配業者は、ラッチ操作つまみ２の回転操作により扉を開けて、荷物を宅配ボックス内に入れ、扉を閉める前に（なお、荷物を入れた後でもよく荷物を入れる前でもよい。）扉の背面側で施解錠操作つまみ９の回転操作によりロック部材７をロック位置へ回転させることによりラッチ操作つまみ２を施錠状態とし、扉を閉めることで扉をオートロックし、受取人が宅配ボックス内の荷物を取り出すときは、受取人は、錠前ユニット６に鍵を差し込み所定の方向に回すことにより、ロック部材７をロック解除位置へ回転させてラッチ操作つまみ２を解錠し、扉を開けて、荷物を取り出せるようにしたので、このラッチ錠Ｌの簡単な施錠構造により、扉の施錠、解錠を簡易な操作で行なうことができ、とりわけ、宅配ボックスに荷物を収納した後、扉を閉める際は、扉を閉めるだけのオートロックにしたので、宅配ボックスに荷物を収納した後の扉の施錠を容易にすることができる。
【００２７】
また、この宅配ボックス用ラッチ錠Ｌでは、次のような構成を併せて備えたので、さらに次のような利点を有する。
（１）ラッチ錠取付ベース１内で錠前ユニット取付孔１１の縁部又はロック部材７の正面開口７０の縁部のいずれか一方に設けられるディテント溝１２３と、他方に取付孔７５を形成されて当該取付孔７５にディテントスプリング７７を介して当該取付孔７５から出没可能に配置され、ディテントボール溝１２３に弾性的に係合されるディテントボール７６とからなり、ロック部材７がロック位置、ロック解除位置に回転される毎にロック部材７をロック位置、ロック解除位置にロックするディテントボール機構１２２を備えたので、このような簡単な構造により、低コストに、しかも良好な操作性で、ロック部材７を所定のロック位置又は所定のロック解除位置に確実にロックすることができる。
（２）ラッチ錠取付ベース１の正面にラッチ操作つまみ２の施錠状態又は解錠状態を表示するインジケータ１２１を備え、インジケータ１２１は、ラッチ錠取付ベース１正面の錠前ユニット取付孔１２の縁部でラッチ錠取付ベース１内のロック部材７の正面開口７０の縁部に対応する位置に形成される表示窓１２０と、ロック部材７がロック位置にあるときに表示窓１２０に現れるロック部材７の正面開口７０の縁部に付設され、ラッチ操作つまみ２が施錠されていることを表示する施錠表示部材７８、及びロック部材７がロック解除位置にあるときに表示窓１２０に現れるロック部材７の正面開口７０の縁部に付設され、ラッチ操作つまみ２が解錠されていることを表示する解錠表示部材７９とからなり、施解錠操作つまみ２による施錠又は解錠の操作により表示窓１２０に施錠表示部材７９又は解錠表示部材７９を表示し、錠前ユニット６の鍵による解錠の操作により表示窓１２０に解錠表示部材７９を表示するようにしたので、このような簡単な構造により、低コストに、ラッチ操作つまみ２の施解錠状態を一目して確認することができる。
（３）ラッチ錠取付ベース１の背面側に扉の内側からでも扉が開けられる内部解錠機能１４２を備え、内部解錠機能１４２は、ラッチ４の背面にラッチ錠取付ベース１の背面から突出されるつまみ４３を有し、ベースカバー１４のラッチ４のつまみ４３に対応する位置に、このつまみ４３を挿通しつまみ４３をラッチ４をラッチ錠取付ベース１のラッチ挿通部１３に没入させる方向に移動案内可能に長孔状のつまみ挿通部１４３とを有してなるので、簡単な構造により、低コストに、宅配ボックスの内部からでもラッチ錠Ｌを確実に解錠することができる。例えば、子供が宅配ボックス内に閉じ込められた場合など緊急脱出の必要があるときに、子供でも、つまみ４３を一方向に動かすだけの簡単な操作で、ラッチ４を直接ラッチ錠取付ベース１内に没入させることができ、宅配ボックスの扉を即時に開けることができる。
【符号の説明】
【００２８】
Ｌ  宅配ボックス用ラッチ錠
１  ラッチ錠取付ベース
１ａ  ラッチ操作つまみ関連の部品取付部
１ｂ  錠前ユニット関連の部品取付部
１０  開口
１１  ラッチ操作つまみ取付孔
１１０  フレーム
１１１  隔壁
１１２  切欠部
１１３  ばね受け部
１１４  ベースカバー取付用のボス
１１５  ラッチ錠取付用のボス
１２  錠前ユニット取付孔
１２０  表示窓
１２１  インジケータ
１２２  ディテント機構
１２３  ディテント溝
１３  ラッチ挿通部
１４  ベースカバー
１４０  施解錠操作つまみ取付孔
１４１ａ、１４１ｂ  ねじ挿通部
Ｓ１  取付ねじ
１４２  内部解錠機構
１４３  つまみ挿通部
１５  止め金具
Ｓ２  取付ねじ
２  ラッチ操作つまみ
２１  回転作動部材
２１Ｆ  前部
２１Ｒ  後部
２２  つまみ部
２３  凸状作動部
２Ｍ  マーク
３  スライド作動部材
３１  作動連結部
３１０  凹部
３２  作動連結部
３２０  凹部
３３  基部
３４  凸状部
４  ラッチ
４１  受け部
４２  ばね受け部
４３  つまみ
５  ばね部材（コイルスプリング）
６  錠前ユニット
６０  鍵孔
６１  ロータ
６２  フランジ
６３  ナット
７  ロック部材
７０  開口
７１  ロータ挿通孔
７２  係止溝
７３  溝
７４  係止孔
７５  取付孔
７６  ディテントボール
７７  ディテントスプリング
７８  施錠表示部材
７９  解錠表示部材
８  ロータカム
８０  回転部材
８０１  前部
８０２  後部
８１  係止突起
９  施解錠操作つまみ
９０  回転部
９１  つまみ部
９２  係止突起
９Ｍ  マーク
【図１】
2019124002.tif 000003
【図２】
2019124002.tif 000004
【図３】
2019124002.tif 000005
【図４】
2019124002.tif 000006
【図５】
2019124002.tif 000007
【図６】
2019124002.tif 000008
【図７】
2019124002.tif 000009
【図８】
2019124002.tif 000010
【図９】
2019124002.tif 000011